(57)【要約】【課題】コンセントに形成された留めループ部に固定又はかみ合うフック部を、各さし込み先の先端に形成した、一対のさし込み先を有する安全プラグを提供する。【解決手段】プラグ本体１と、長手方向の中心において規定される長手方向軸に沿って、前記プラグ本体１から外側に突出する、一対のさし込み先２と、を有し、前記さし込み先２は、各々、長軸方向の中心において規定される短軸に沿って、外端上に傾いて形成されるフック部２１を有し、前記短軸は、前記さし込み先２の先端で測定して鋭角に前記さし込み先２の長手方向軸から分岐し、コンセント３内にさし込み先２をさし込み、コンセント３内のクリップ３１により固定するとき、さし込み先２の前記フック部２１は、電気的安全性を高めるために、コンセント３からプラグが予期せず引張られるのを防ぐ、コンセント３内の前記クリップ３１に隣接する留めループ部３２上にロック可能である。【選択図】図１
2008016257.tif 000002
【特許請求の範囲】
【請求項１】
プラグ本体と、
長手方向の中心において規定される長手方向軸に沿って、前記プラグ本体から外側に突出する、一対のさし込み先と、を有し、
前記さし込み先は、各々、長軸方向の中心において規定される短軸に沿って、外端上に傾いて形成されるフック部を有し、
前記短軸は、前記さし込み先の先端で測定して鋭角に前記さし込み先の長手方向軸から分岐し、
コンセント内にさし込み先をさし込み、コンセント内のクリップにより固定するとき、さし込み先の前記フック部は、コンセント内の前記クリップに隣接する留めループ部にロック可能な、安全プラグ。
【請求項２】
前記フック部は、前記コンセント内の留めループ部と動作可能にかみ合うフック端を含む請求項１に記載の安全プラグ。
【請求項３】
前記さし込み先は、前記フック部に隣接して形成される凹部を含む請求項１に記載の安全プラグ。
【請求項４】
前記さし込み先は、更に、前記凹部の反対に延長部を含む請求項３に記載の安全プラグ。
【請求項５】
前記フック部は、前記さし込み先の外形からはみ出して、斜めに突き出る請求項１に記載の安全プラグ。
【請求項６】
前記さし込み先は、接触したときに電気的伝導を防ぐために、プラグ本体に隣接する付け根部を覆う絶縁層を含む請求項１に記載の安全プラグ。
【請求項７】
前記絶縁層は、前記さし込み先の全長の３分の１以下の長さである請求項６に記載の安全プラグ。
【請求項８】
前記さし込み先は、更に、予期せぬコンセントからの引き抜きを困難にするために、コンセントの前記クリップとの間での摩擦を増加させる、外端部上に形成される突起を少なくとも含む請求項１に記載の安全プラグ。
【発明の詳細な説明】
【技術分野】
【０００１】
本発明は、さし込み先にフック部を有する安全プラグに関する。
【背景技術】
【０００２】
通常の電気プラグは、電源を接続するためにコンセントに挿入される２つのさし込み先を有する。さし込み先は、コンセントから外側に緩く引っ張られ、人又は子供に電気的に接続したとき、感電あるいは怪我を生じさせる虞がある。
【０００３】
特許文献１は、プラグの差し込み中に、ケースにより保護される２つのさし込み先を有する安全プラグを開示している。このようなケースは、安全の目的で、さし込み先が、人又は子供に接触しないようにしている。しかし、このようなプラグを使用したとき、さし込み先を保護するためのケースは、通常のプラグ差し込みの動作を妨げ、その結果、安全プラグの使用を不便にしている可能性がある。
【特許文献１】米国特許第５２５２０８２号明細書
【発明の開示】
【発明が解決しようとする課題】
【０００４】
さし込み先がコンセントにさし込まれているとき、プラグの予期せぬ引き抜きを防ぎ、電気的な安全性をより高めるために、本発明は、コンセントに形成された留めループ部に固定又はかみ合うフック部を、各さし込み先の先端に形成した、一対のさし込み先を有する安全プラグを提供することを目的とする。
【課題を解決するための手段】
【０００５】
プラグ本体と、長手方向の中心において規定される長手方向軸に沿って、前記プラグ本体から外側に突出する、一対のさし込み先と、を有し、前記さし込み先は、各々、長軸方向の中心において規定される短軸に沿って、外端上に傾いて形成されるフック部を有し、前記短軸は、前記さし込み先の先端で測定して鋭角に前記さし込み先の長手方向軸から分岐し、コンセント内にさし込み先をさし込み、コンセント内のクリップにより固定するとき、さし込み先の前記フック部は、電気的安全性を高めるために、コンセントからプラグが予期せず引張られるのを防ぐ、コンセント内の前記クリップに隣接する留めループ部上にロック可能である、安全プラグ。
【発明の効果】
【０００６】
本発明の安全プラグによれば、コンセントからの安全プラグの予期せぬ引き抜きを防ぐ。したがって、安全プラグは、コンセントにさし込まれたときの電気的な安全性を高め、かつ電気機器への正常な電力供給を維持する。
【発明を実施するための最良の形態】
【０００７】
図１〜３に示すように、本発明の安全プラグは、プラグ本体１と、プラグ本体１から外側に突出し、電気出力又は電源に接続するコンセント３に差し込まれる又は挿入される、一対のさし込み先２と、を備える。
【０００８】
各さし込み先２は、さし込み先２の長手方向の中心で規定される長手軸Ｘに沿って、プラグ本体１から直線的に外側に突出する。さし込み先２に斜めに形成されるフック部２１は、当該フック部２１の長手中心で規定される短軸Ｙに沿い、さし込み先２の先端で測定して、さし込み先２の長手軸Ｘから鋭角Ａでそれる。
【０００９】
フック部２１は、さし込み先２の幅Ｗ（又は外形）を超え斜めに突出し、コンセント３内のクリップ３１に隣接する留めループ部３２にかみ合う又はロックされるように、さし込み先２の外端でフック端２２を形成する。
【００１０】
さし込み先２は、フック部２１が、ソケット３内の留めループ部３２とスムーズにかみ合わされる（又は取り外される）のに役立つように、凹部２３が、フック端２２に隣接するように形成される。
【００１１】
さし込み先２は、更に、図８に示すように、コンセント３のクリップ３１とさし込み先２の間の抵抗を増加させるように、さし込み先穴２０に隣接したさし込み先２の外端部に形成された突起２５を少なくとも含み、このため、プラグは、特に子供によって簡単に引き抜けず、電気的安全性を保証する。
【００１２】
突起２５は、コンセントからプラグが予期せず抜かれるのを防ぐために、クリップ３１とさし込み先２の間で擦られるように保持される、球、点、弓形に直線的に拡張したもの、又は傾斜した表面部として形成してもよい。しかし、さし込み先２は、コンセントに過度には固定されておらず、使用しない場合は、コンセントから強制的に引き抜くことができる。
【００１３】
各さし込み先２は、更に、さし込み先２の付け根部を覆い、コンセントから外部に部分的に引かれたとき電気伝導及び感電を防ぐ絶縁層２６（又はコーティング、又はスリーブ）を含む。絶縁層２６は、さし込み先２の長さＬの３分の１に等しい（又は以下）長さＬ１を有してもよい。
【００１４】
そうではなく、もし、絶縁層２６が非常に長く形成されると、より長い絶縁層２６は、さし込み先を絶縁し、通常の電気伝導を遮断するため、通常の電源の接続に影響を及ぼす虞がある。
【００１５】
本発明をコンセント３に差し込んだとき、フック部２１は、クリップ３１に隣接する留めループ部３２により、ロックされる。コンセントからプラグを引き抜くためには、さし込み先およびプラグは、図３に示す点線のように、フック部２１を留めループ部３２から取り外すために傾けられる。こうすることにより、プラグをコンセントからスムーズに外すことができる。
【００１６】
図４〜７に示すように、コンセント３は、コンセント３からさし込み先が予期せず引っ張られるのを防ぐために、さし込み先２のフック端２２に固定、又はかみ合うように逆Ｕ字形に形成された留めループ部３２を有する。
【００１７】
コンセント３からプラグを引き抜くため、さし込み先２は、図７に示すように傾けて、コンセント３の留めループ部３２からさし込み先２のフック部２１を取り外す。
【００１８】
このため、プラグ及びさし込み先は、コンセント３にさし込み先をさし込む、又はコンセントからさし込み先を引き抜くとき、コンセントのカバーを介して形成されるさし込み先開口（又はスロット）を通すために、僅かに傾ける。
【００１９】
図９は、さし込み先２を、プラグ本体１に垂直に変更した、好ましい他の実施形態を示す。ここで、凹部２３に対し反対にある前述の延長部２４及び突起２５は除いても良い。
【００２０】
本発明は、以下の利点により、従来のプラグ又は従来技術よりも優れる。
１．信頼性のある安全なプラグを形成するために、複雑なロック機構を実装することなく、さし込み先の端部上にフック部２１を形成するだけで、さし込み先２は、コンセント内で安定的に留められ、又はロックされる。
２．たとえ、さし込み先２は、コンセント３から外側に部分的に引っ張られても、さし込み先上の絶縁層２６は、電気的伝導からさし込み先を保護し、これによって、電気的な安全性を向上させている。
３．さし込み先２に形成された突起２５は、コンセント３のクリップ３１とさし込み先２の間の摩擦を増加させ、（子供によるような）コンセントからのプラグの予期せぬ引抜を難しくしている。
４．凹部２３と協働するフック部２１及び延長部２４は、Ｓ字型のバネのように機能し、偶然的、又は意図的に本発明のプラグと接続した電気線を引っ張ったときに発生する振動の衝撃を吸収する。このことにより、信頼性のある継続的電力供給のための、信頼性のあるコンセントへのプラグのさし込みを保証している。
【００２１】
本発明は、更に、本発明の思想及び範囲から逸脱することなく、変更しても良い。
【図面の簡単な説明】
【００２２】
【図１】本発明の側面図である。
【図２】コンセントにさし込まれたときの本発明の正面図である。
【図３】本発明に基づくコンセントへのさしこみ先の固定を示す側面図である。
【図４】本発明のプラグのさし込み先を留めるコンセントを示す側面図である。
【図５】プラグのさし込み先とコンセントのループ部の取り付けを示す。
【図６】図５に示す本発明の斜視図である。
【図７】コンセントからさし込み先を取り外すときの図である。
【図８】コンセントのクリップにより擦られるようにして妨げられる本発明のさし込み先に形成された突起を示す。
【図９】本発明の他の好ましい実施形態を示す。
【符号の説明】
【００２３】
１    プラグ本体、
２    さし込み先、
２１    フック部、
２２    フック端、
２３    凹部、
２４    延長部、
２５    突起、
２６    絶縁層。
【図１】
2008016257.tif 000003
【図２】
2008016257.tif 000004
【図３】
2008016257.tif 000005
【図４】
2008016257.tif 000006
【図５】
2008016257.tif 000007
【図６】
2008016257.tif 000008
【図７】
2008016257.tif 000009
【図８】
2008016257.tif 000010
【図９】
2008016257.tif 000011